(57)【特許請求の範囲】
【請求項１】
試料収集器と貯蔵容器との組立体であって、
前記試料収集器は、有機体内へ駆動されると有機体から生検試料を採取して保持するように構成されており、
前記試料収集器は、パンチおよび識別子を備え、
前記パンチは、生検試料を切除して保持するために当該パンチの切断端部に形成される切断縁部を有する切断器を含み、
前記識別子は、前記試料収集器上または当該試料収集器内の固有の識別子であって、生検試料を採取するために前記試料収集器を使用する時に機械可読することができ、
前記識別子は、前記試料収集器内に埋設される試料収集ＥＩＤを備え、
前記貯蔵容器は、封じ込め領域を一体に画定する取り外し可能なキャップによって閉鎖される開口を含む容器本体を備え、
前記取り外し可能なキャップは、前記封じ込め領域の中への通路を含み、
前記貯蔵容器は、貯蔵容器識別子を備え、
前記取り外し可能なキャップは、使用するとき前記試料収集器によって封止されており、前記試料収集器が生検試料を前記封じ込め領域内に保持する、組立体。
【請求項２】
前記試料収集ＥＩＤが、前記パンチ内に埋設される、請求項１に記載の組立体。
【請求項３】
前記試料収集器は、前記パンチに取り付けられるプランジャを含み、前記プランジャは、前記パンチから生検試料を取り出すために駆動可能であり、
前記試料収集ＥＩＤは、前記プランジャ内に埋設される、請求項１に記載の組立体。
【請求項４】
前記試料収集ＥＩＤと前記貯蔵容器識別子とがサンプリングする時に読み取られて保存される、請求項１〜３のいずれか一項に記載の組立体。
【請求項５】
前記試料収集ＥＩＤと、前記貯蔵容器識別子と、生検試料が採取された有機体の及び有機体に由来した識別子とがサンプリングする時に読み取られて保存される、請求項１から４のいずれか一項に記載の組立体。
【請求項６】
前記取り外し可能なキャップは、開封明示様式で前記容器本体に取り外し可能に固定される、請求項１から５のいずれか一項に記載の組立体。
【請求項７】
前記開口及び前記通路は、生検試料を切り離すために前記切断器と協働する打ち抜き型として機能する請求項１から６のいずれか一項に記載の組立体。
【請求項８】
請求項１から７のいずれか一項に記載の組立体であって、試料採取工具によって組み立てられ、
前記試料採取工具は、前記試料収集器および前記貯蔵容器を保持することができる本体を備え、
前記本体は、前記試料収集器を駆動するラムを、試料が切断されることになる有機体の部分によって前記貯蔵容器から分離される初期位置（ａ）から、有機体の前記部分を通って、前記試料収集器が前記ラムによって有機体の前記部分を通って駆動される第２の位置（ｂ）であって、試料を有機体から切除するために、前記試料収集器を前記容器本体によって前記通路に留まらせる第２の位置（ｂ）まで担持する、組立体。
【請求項９】
１組の組立体であって、各組立体は請求項１〜８のいずれか一項に記載された試料収集器と貯蔵容器との組立体であり、
各試料収集器は、有機体内へ駆動されると、有機体から生検試料を採取して保持するように適合されており、
各試料収集器は、パンチおよび識別子を備え、
前記パンチは、生検試料を切除して保持するために当該パンチの切断端部に形成される切断縁部を含む切断器を含み、
前記識別子は、前記試料収集器内に埋設される試料収集ＥＩＤを備え、前記試料収集器上または当該試料収集器内にあって、生検試料を採取するために前記試料収集器を使用する時に機械可読することができ、
前記組の試料収集器のすべてが、前記識別子に関する以外は同一であり、各試料収集器の前記識別子は、試料収集器の前記組内で固有である、１組の組立体。
【請求項１０】
前記試料収集ＥＩＤが、前記パンチ内に埋設される、請求項９に記載の１組の組立体。
【請求項１１】
前記パンチに取り付けられ、前記パンチから生検試料を取り出すために駆動可能であるプランジャを含み、
前記試料収集ＥＩＤは、前記プランジャ内に埋設される、請求項９に記載の１組の組立体。
【請求項１２】
試料を採取するための試料収集器の使用方法であって、
（ａ）組織試料採取工具の駆動位置へ試料収集器を提供するステップであって、前記試料収集器が有機体の中へ前記組織試料採取工具のアクチュエータによって駆動されると、有機体から生検試料を採取して保持するように適合され、前記試料収集器が、パンチと、当該試料収集器上または当該試料収集器内にある試料収集ＥＩＤとを備え、前記パンチが生検試料を切除して保持するために当該パンチの切断端部に形成される切断縁部を含むステップと、
（ｂ）サンプリングする時に、前記試料収集器の前記試料収集ＥＩＤとともに、前記試料収集器に結合されている、または結合されることになるバイアルまたはカバーの識別子を読み取り、保存するステップと、を含む、方法。
【請求項１３】
前記組織試料採取工具が、駆動位置で提示される前記試料収集器の前記試料収集ＥＩＤを読み取るための読み取り装置を含む、請求項１２に記載の方法。
【請求項１４】
前記読み取り装置が、試料採取される前記有機体の上または中に配置されるＥＩＤを更に読み取る、請求項１３に記載の方法。
【請求項１５】
請求項１に記載の試料収集器と貯蔵容器との少なくとも１つの組立体と協働する試料採取器工具であって、
本体を備え、
前記本体は、前記少なくとも１つの組立体の試料収集器を駆動し、かつ生検試料を有機体から切除するために、前記少なくとも１つの組立体の試料収集器を初期位置から駆動し、前記切断器を有機体の部分を通って押すために位置合わせされる第１の位置と、前記切断器がラムによって押し通された第２の位置との間で、当該本体に対して通路に沿って移動するように駆動され得るラムを担持しており、
当該試料採取器工具は、
（i）ＥＩＤ読み取り装置を更に備える、又は、
（ii）ＥＩＤ読み取り装置及びＥＩＤ読み取り情報保存装置を更に備える、
試料採取器工具。
【請求項１６】
複数の前記試料収集器を含むマガジンを保持するためのマガジンレセプタクルを含み、  前記マガジンレセプタクルによって、前記マガジンが当該試料採取器工具に対して移動することができ、その結果、各試料収集器が前記ラムによって駆動される、請求項１５に記載の試料採取器工具。
【発明の詳細な説明】
【技術分野】
【０００１】
本発明は、識別子を含む生検収集器に関する。
【背景技術】
【０００２】
家畜の追跡を改善し、ＤＮＡ検査を促進するために、組織試料は動物から収集され得る。組織試料は、随時動物から採取され得る。組織試料は、通常は、組織試料採取装置を使用して動物から切断され、実験室で分析するために貯蔵容器の中に配置される。
【０００３】
米国特許出願公開第２０１１０２９５１４８号Ａ１明細書および米国特許出願公開第２０１３０２０４１５９号Ａ１明細書は、クランプ形状であり、互いに向かって移動する一対の顎部を備える組織試料採取器を記載する。採取された試料は、実験室へ運ばれ、分析される。
【０００４】
収集段階と分析段階との間で試料を勝手に開封することによって、保存される分析記録の中に不正確さが発生する可能性がある。したがって、記録の正確さを保証するために、試料の追跡を改善し、試料の勝手な開封を防止する必要がある。
【先行技術文献】
【特許文献】
【０００５】
【特許文献１】米国特許出願公開第２０１１０２９５１４８号Ａ１明細書
【特許文献２】米国特許出願公開第２０１３０２０４１５９号Ａ１明細書
【発明の概要】
【発明が解決しようとする課題】
【０００６】
本発明の目的は、上記に言及される欠点を克服するのに少なくともいくらか助けになり、および／または一般の人々に有益な選択肢を少なくとも提供する識別子を含む生検収集器を提供することである。
【課題を解決するための手段】
【０００７】
第１の態様では、本発明は、有機体の中へアクチュエータによって駆動されると、有機体から生検試料を採取して保持するための試料収集器であると一般的に言うことができ、試料収集器が、生検試料を切除して保持するパンチの切断端部に形成される切断縁部を含む切断器を含むパンチと、試料収集器上または試料収集器内の固有の識別子であって、試料を採取するために試料収集器を使用する時、機械可読または人間が読み取れる識別子とを備える。
【０００８】
好適には、固有の識別子は、試料収集器の本体の中に埋設されるＥＩＤを備える。
【０００９】
好適には、ＥＩＤは、パンチの本体の中に埋設される。
【００１０】
好適には、試料収集器は、パンチに取り付けられたプランジャを含み、プランジャはパンチから試料を取り出すために駆動可能であり、ＥＩＤはプランジャの本体の中に埋設される。
【００１１】
好適には、試料収集器は、試料を閉じ込めるために、バイアルまたはカバーに係合する機構を含み、バイアルまたはカバーはそれ自体の固有の識別子を含む。
【００１２】
追加の態様では、本発明は、１組の試料収集器であると一般的に言うことができ、各試料収集器は、有機体の中へアクチュエータによって駆動されると、有機体から生検試料を採取して保持するように適合されており、各試料収集器が、生検試料を切除して保持するパンチの切断端部に形成される切断縁部を含む切断器を含むパンチと、試料収集器上または試料収集器内の識別子であって、試料を採取するために試料収集器を使用する時、機械可読または人間が読み取れる識別子とを備え、その組の試料収集器のすべてが、識別子に関する以外は同一であり、各試料収集器の識別子は、試料収集器の組にわたって固有である。
【００１３】
好適には、識別子は、試料収集器の本体の中に埋設されるＥＩＤを備える。
【００１４】
好適には、ＥＩＤは、パンチの本体の中に埋設される。
【００１５】
好適には、１組の試料収集器は、パンチに取り付けられたプランジャを含み、プランジャはパンチから試料を取り出すために駆動可能であり、ＥＩＤはプランジャの本体の中に埋設される。
【００１６】
追加の態様では、本発明は、試料を採取する方法であると一般的に言うことができ、その方法が、（ａ）組織試料採取器の駆動位置へ試料収集器を提供するステップであって、試料収集器が、有機体の中へアクチュエータによって駆動されると、有機体から生検試料を採取して保持するように適合され、試料収集器が、生検試料を切除して保持するパンチの切断端部に形成される切断縁部を含む切断器を含むパンチと、試料収集器上または試料収集器内の固有の識別子とを備える、ステップと、（ｂ）追加の情報と共に、試料収集器の識別を読み取り、保存するステップであって、追加の情報が、i）試料収集器に結合されている、または結合されることになるバイアルまたはカバーの識別、ii）試料採取される有機体の識別、の少なくとも以下の１つを含むステップと、を含む。
【００１７】
好適には、アプリケータが、駆動位置で提示される試料収集器の識別を読み取るための読み取り装置を含む。
【００１８】
好適には、識別子はＥＩＤであり、読み取り装置がＥＩＤを読み取る。
【００１９】
好適には、読み取り装置が、試料採取される有機体の上または中に配置されるＥＩＤを更に読み取る。
【００２０】
好適には、試料収集器が、生検試料を切除して保持するためにパンチの切断端部に形成される切断縁部を含む切断器を含むパンチと、切断器に保持される生検試料を切断器から取り外すために、切断器に対してプランジャが移動することを可能にする様式で、パンチに保持されるプランジャとを備える。
【００２１】
好適には、プランジャがパンチに取り付けられる。
【００２２】
好適には、プランジャが、移動可能な様式でパンチに固定される。
【００２３】
好適には、試料収集器を有機体の中に駆動すると、アクチュエータによって、プランジャがパンチに対して移動されることはない。
【００２４】
好適には、試料収集器が、有機体を通って駆動される。
【００２５】
好適には、切断器だけが、有機体を通って駆動される。
【００２６】
好適には、少なくとも切断縁部が、有機体の部分を通って押されて生検試料を切除し、保持する。
【００２７】
好適には、プランジャが、通路の外に突出しない。
【００２８】
追加の態様では、本発明は、試料収集器を駆動し、かつ試料を有機体から切除するために、試料収集器を初期位置から駆動し、切断器を有機体の部分を通って押すために位置合わせされる第１の位置と、切断器がラムによって押し通された第２の位置との間で、本体に対して通路に沿って移動するように駆動され得るラムを担持する本体を備え、ＥＩＤ読み取り装置、および好適にはＥＩＤ読み取り情報保存装置を更に備える、本明細書で上記に記載の試料収集器と協働する試料採取器工具であると一般的に言うことができる。
【００２９】
好適には、試料採取器工具が、複数の試料収集器を含むマガジンを保持するためのマガジンレセプタクルを含み、マガジンレセプタクルによって、マガジンが試料採取器工具に対して移動することができ、その結果、各試料収集器がラムによって駆動される様式で提示され得る。
【００３０】
追加の態様では、本発明は、切断器によって切除された有機体からの試料が、切断器によって保持され、プランジャが、パンチに対して試料を切断器から移動させることができる位置にある、本明細書で上記に記載の試料収集器を備える、試料を保持する試料収集器であると一般的に言うことができる。
【００３１】
プランジャをパンチの切断端部に向かって移動させて、プッシャが試料に直接接触せずに、試料を切断器から押し出すことができるプッシャを含む、本明細書で説明する試料を保持する試料収集器から試料を分配するためのディスペンサが本明細書で更に説明される。
【００３２】
好適には、プッシャは、プランジャだけに接触する。
【００３３】
好適には、プッシャは、パンチに接触しない。
【００３４】
好適には、マガジンは、試料採取の前に試料収集器が貯蔵されたマガジンと同じマガジンである。
【００３５】
本明細書で説明する試料を保持する試料収集器と、取り外し可能なキャップによって閉鎖される開口を含む容器本体を備える貯蔵容器との組立体であって、キャップが、一体に封じ込め領域を画定し、試料収集器によって封止される、前記封じ込め領域の中への通路を含み、試料収集器が試料を前記封じ込め領域内に保持する、組立体が本明細書で更に説明される。
【００３６】
試料収集器および貯蔵容器を保持することができ、試料を有機体から切除するために、試料が切断されることになる有機体の部分によって貯蔵容器から分離される初期位置（ａ）から、有機体の部分を通って、試料収集器がラムによって有機体の前記部分を通って駆動される第２の位置（ｂ）であって、試料収集器を容器本体によって前記通路に留まらせる第２の位置（ｂ）まで試料収集器を駆動するラムを担持する本体を備える、工具によって組み立てられた、本明細書で説明される試料収集器と貯蔵容器との組立体が本明細書で更に説明される。
【００３７】
本発明は、広義には、出願の明細書の中で、個々に、または集合的に言及され、または提示される部品、要素および機構、ならびに任意の２つ以上の部品、要素または機構の任意またはすべての組合せの中にあり、本発明が関係する技術分野で周知の均等物を有する特定の特徴が本明細書で言及される場合、そのような均等物は、個々に説明されるものとして、本明細書に組み込まれると見なされたい。
【００３８】
本明細書で使用される場合、「および／または」という用語は、「および」または「または」、あるいはその両方を意味する。
【００３９】
本明細書で使用される場合、名詞の後の「（ｓ）」は、名詞の複数および／または単数を意味する。
【００４０】
本明細書で使用される「備える」という用語は、「少なくとも部分的に〜からなる」という意味である。その用語を含む、本明細書の中の記述を解釈する際に、各記述の中でその用語に続いて記載される特徴は、すべて存在する必要があるが、しかし他の特徴もまた存在する可能性がある。「備える」および「からなる」などの関連する用語は、同様に解釈されたい。
【００４１】
上記および下記に引用される出願、特許および文献の全体開示がある場合、それは、参照によって本明細書に組み込まれる。
【００４２】
本明細書で使用される場合、「ＥＩＤ」は電子識別を意味する。これは、識別データをタグから読み取り装置へ遠隔通信を提供する識別システムを指す。遠隔通信は、無線周波数で電磁波によることができるが（例えばＲＦＩＤシステム）、しかし手段のための他の手段（例えば音または磁場）によることができる。本明細書で使用される場合、「ＥＩＤタグ」は、読み取り装置と通信して、装置の識別に関して読み取り装置にデータを返信することができる物品であることを意味する。タグは、識別されるべき対象または物品の中に付着され、含まれまたは埋設されることができる。現在、最もすぐに入手可能なＥＩＤシステムは、ＲＦＩＤシステムである。
【００４３】
本明細書の中の従来技術の文献への任意の参照は、そのような従来技術が広く公知であり、または当技術分野で共通の一般的知識の部分を形成するということへの承認であると考察されるべきではない。
【００４４】
次いで本発明の好適な形態が、実施例としてのみ、添付の図面を参照して説明される。
【図面の簡単な説明】
【００４５】
【図１ａ】試料収集器の一形態の分解図である。
【図１ｂ】試料収集器の一形態の側面図である。
【図１ｃ】図１ｂの線Ａ−Ａに沿った、試料収集器の縦断側面図である。
【図１ｄ】図１ｂの試料収集器の端面図である。
【図１ｅ】試料収集器の別の形態の斜視図である。
【図１ｆ】図１ｅの試料収集器の縦断側面図である。
【図１ｇ】プランジャが駆動されている状態の試料収集器の図である。
【図２ａ】試料収集器のパンチの一形態の斜視図である。
【図２ｂ】図２ａのパンチの側面図である。
【図２ｃ】図２ａのパンチの押圧端部を示す端面図である。
【図２ｄ】図２ｃの線Ａ−Ａに沿った、パンチの側面図である。
【図２ｅ】図２ａのパンチの切断端部を示す端面図である。
【図３ａ】貯蔵本体の一形態の斜視図である。
【図３ｂ】図３ａの本体の側面図である。
【図３ｃ】図３ａの線Ａ−Ａに沿った、本体の縦断側面図である。
【図３ｄ】図３ａの本体の閉じた第２の端部の端面図である。
【図３ｅ】貯蔵容器のためのキャップの一形態の斜視図である。
【図３ｆ】図３ｅのキャップの別の斜視図である。
【図３ｇ】図３ｅのキャップの側面図である。
【図３ｈ】図３ｇのキャップの縦断側面図である。
【図４】貯蔵容器の中に挿入される前の、試料収集器の一形態の斜視図である。
【図５】貯蔵容器が組織試料採取器の中に配置されようとしている、組織試料採取器の一形態の側面図である。
【図５ａ】収集装置マガジンが、組織試料採取器のマガジン筐体の中に配置されようとしている、組織試料採取器の斜視図である。
【図６】動物の耳が切断領域の中に配置されている、図５の組織試料採取器の縦断側面図である。
【図６ａ】動物の耳から組織試料を採取し、それを貯蔵容器の中に配置する前の、試料収集器の一形態の縦断側面図である。
【図６ｂ】組織試料を動物の耳から切断する時の、図６ａの試料収集器の縦断側面図である。
【図６ｃ】組織試料が切断された後の、図６ａの試料収集器の縦断側面図である。
【図６ｄ】貯蔵容器のキャップ内の薄膜に対して押圧している、図６ａの試料収集器の縦断側面図である。
【図６ｅ】薄膜が破られた後の、図６ａの試料収集器の縦断側面図である。
【図７】組織試料が動物の耳から切断された、図６の組織試料採取器の縦断側面図である。
【図７ａ】試料収集器が貯蔵容器の第１の端部を塞いでいる、図６ａの試料収集器の縦断側面図である。
【図８】動物の耳が切断領域から取り除かれ、試料収集器が貯蔵容器を塞いでしまった、図６の組織試料採取器の縦断側面図である。
【図９】ラムが試料収集器マガジンの空のチャンバを通って引き込まれ、停止位置に戻されている、図６の組織試料採取器の縦断側面図である。
【図１０】組織試料および試料収集器を含む貯蔵容器が試料採取器から取り外されている、図６の組織試料採取器の縦断側面図である。
【図１１】収集装置マガジンの斜視図である。
【図１２】複数セルのラック内に保持された複数の試料収集器の斜視図である。
【図１３】組織試料が試料収集器から外された、貯蔵容器の縦断側面図である。
【図１４】マガジンを保持している試料採取器の部分断面図であり、試料収集器が、収集容器に位置合わせされた準備位置にあるように図示されており、試料採取される組織の１つまたは複数の面からラム１３０を保護して、それによって試料の間の相互汚染を防止する目的のために、シールド９００が試料収集器の延伸部として設けられている図である。
【図１５ａ】試料採取器、ならびにシールド９００、付随する試料収集器２５０および収集容器の機構の部分の分解斜視図である。
【図１５ｂ】ラム１３０、シールド９００および試料収集器２５０の部分断面図であり、ラムが試料収集器を貯蔵容器と係合するように搬送した後シールドがマガジンの中に引き戻されることを可能にし、それによって、その後処分のためにマガジンの中にシールドを引き付ける、ラムとシールドとの間の配置を示す図である。
【図１６】試料収集器を示し、試料採取後マガジンの中に試料収集器を引き戻す目的のために配置されている試料採取器についての部分断面図であり、ラムが引っ込んだ位置にある図である。
【図１７】ラムが、試料採取されるべき組織を少なくとも部分的に通って、試料収集器を駆動するために前進した位置に移動されて、マガジンの中に引き戻される準備ができている、図１６の試料採取器を示す図である。
【図１８】試料収集器をマガジンの中に引き戻す種類の試料採取器の変形形態の図であり、二次マガジンが切断領域の反対側に設けられ、二次マガジンが、相互汚染を回避するように反応するように、試料収集器の各切断器に清浄な、または新鮮な面を提供する目的のために設けられており、二次マガジンが、ラムが完全に前進した位置にある場合、試料を塞ぐまたはキャップをするための栓またはキャップを任意選択で更に担持し、キャップが、貯蔵のための各試料収集器と共にマガジンの中に引き戻される変形形態の図である。
【図１９】ラムが延伸されている、図１８の試料採取器の図である。
【発明を実施するための形態】
【００４６】
次に、有機体から生検試料を収集するための試料収集器に言及する。試料は、植物または特に豚、ヤギ、蓄牛、羊、家禽および魚を含む動物から由来することができる。組織試料が動物の耳から採取されることが好適である。使用中、試料収集器は任意選択で貯蔵容器と共に使用されることができ、その結果、試料収集器および貯蔵容器が一体で、後に分析するための生検試料を収集し、貯蔵することができる。試料収集器と共に貯蔵容器を使用することは、試料収集器の特定の使用方法において必須ではない場合がある。
【００４７】
特に、本発明は、試料収集器の中またはその上に固有の識別子を含むことに関する。好適な形態では、固有の識別子は、ＲＦＩＤタグなどの機械可読電子ＩＤタグ（ＥＩＤ）である。
【００４８】
試料収集器は、組織試料を切断するための切断器を含む。試料収集器は、試料採取される組織の中に、または組織を通って突き刺され、組織の試料が切断器の内部に保持される。次いで、試料収集器はキャップまたは容器によってかぶせられて、試料を閉じ込め、保護することができる。実施例の試料収集器が更に詳細に説明されるが、しかし本発明の適合は、他の組織試料収集装置の中で使用され得る。
【００４９】
試料を収集する工程は、選択された試料収集器を試料採取される組織を通って、その中へ駆動し、かつ同じ作動で試料収集器にキャップをかぶせる機構を含む組織試料採取器によって促進される。実施例の組織試料採取器が更に詳細に説明されるが、しかし本発明を組み込む組織試料収集器は、他の組織試料採取器と共に使用され得る。
【００５０】
ＲＦＩＤシステムは、組織試料収集器の予測される製造および使用状態に従って選択され得る。例えば、低周波で作動する典型的なパッシブ型タグ、アクティブ型リーダシステムは、成形されたプラスチック構成要素の中に埋設されるのに適する頑丈な識別装置を本発明の目的に適切な単価で提供することができる。図１ａおよび図１ｃに図示されるタグ２５９は、このタイプのＲＦＩＤタグの典型的な形態である。
【００５１】
しかし、ＵＨＦの範囲内で作動するパッシブ型タグシステムなど、他のシステムは、より低い単価を提供することができる。成形されたプラスチック構成要素の中に埋設されるために十分頑丈であると言われるこのタイプのタグは入手可能である。
【００５２】
本発明の応用のために適する非常に小さい寸法で、これらのＵＨＦタグは非常に小さい読み取り範囲を有する場合がある。しかしながら、ＲＦＩＤ読み取り装置１２２は、有益に組織試料採取器の中に一体化されることができ、または使用時に試料採取器が占める位置に直接隣接して、組織試料採取器に取り付け可能であるので、このことは特定の問題を引き起こすことはない。例えば、タグは図１ｃの位置１２１ａでマガジンと並んで一体化されることが可能である。１つの組織試料採取器上に複数の読み取り装置１２２が存在することができる。例えば、読み取り装置は、動物、操作者または組織試料採取器の中に挿入されることになるマガジン上のタグを読み取るために、組織試料採取器の正面にある。別の読み取り装置が、上記に説明され、および図５ａに示すマガジンに隣接して配置され得る。
【００５３】
読み取り装置は、ユーザインターフェイス１２３、および駆動位置でタグ２５９から識別を読み取ることに成功した視覚または聴覚表示（例えば、図５に示すスクリーン１２４）を提供するように構成されたプログラムを含むことができる。このようにして、読み取り装置は、マガジンが前進されるとすぐにタグの識別を読み取ることができ、一旦読み取り装置がタグの識別が読み取られたことを確認すれば、ユーザは都合のよい時に装置を駆動することができる。ユーザインターフェイス１２３は、以前の読み取りをスクロールして、それらの状態を確認し、または他の相互作用の操作を可能にする制御装置１２５を含むことができる。更に、組織試料採取器は、電子部品を運転するための電源を備えることができる。電源は、無線で充電され、または充電するためにコンセントにつなぐことが可能である。他の実施形態では、組織試料採取器のトリガを押し込むこと、または起動によって、ダイナモなどの電子システムに充電することができる。図６では、読み取り装置および付随する装置に電力を供給する電池１２７が示されている。
【００５４】
次いで、読み取り装置は、データベースに記録するためにタグ識別に通信することができる。例えば、好適な読み取り装置は、データ記憶１２６、データネットワーク機能、および捕捉時または捕捉後のいずれかでデータを転送するように構成されたプログラムを含むことができる。データは、例えば一連のファイル、または単一のファイル、またはデータベースとして任意の適切なフォーマットで記憶され得る。データ記憶またはデータ通信は、無線手段１２９または物理的接続などの他の手段によって除去可能またはアクセス可能であることができる。読み取り装置１２２、電池１２７、データ記憶１２６およびユーザインターフェイス１２３の間の通信は、無線であることができ、または図６に示す回路１２８を介することができる。
【００５５】
データベース内に記憶されたデータは、例えば時間および日付、動物識別、チューブまたはバイアルの識別および操作者の識別の１つまたは複数を含む任意の他の収集されたデータと共に、試料収集器のＲＦＩＤ識別のための記録を含むことができる。１つまたは複数のこれらの追加の識別も、例えば、動物上、あるいはバイアルまたはチューブ上、あるいは操作者の識別カードの中に含まれるＲＦＩＤタグ２５９から、機械読み取り装置を使用して読み取られることができる。他の識別データは、試料収集器のＲＦＩＤタグを読み取るために使用される読み取り装置によって蓄積されること可能であり、または他の装置によって読み取られることが可能である。他の識別データは、試料採取器の識別と同時に保存されることが可能であり、または読み取られるにつれて保存されることが可能であり、それは、試料収集器識別データの収集前または収集後であることができる。
【００５６】
代替として、読み取り装置は、他のデータと一緒にタグ識別データを保存することができ、保存されたデータは、データ保存媒体のアップロードまたは転送によって後に取り出される。例えば、データは取り外し可能なデータ保存装置上に保存され得る。他のデータは、試料採取された動物、試料にキャップをかぶせるために使用されるバイアル、またはその両方の識別に試料収集器識別を一致させることができるために十分であることが好適である。例えば、このような他のデータは、読み取り時間、識別される試料収集器に関連する組織試料採取器の駆動時間、読み取りの順番、または駆動の順番の１つまたは複数を含むことができる。
【００５７】
収集時に試料収集器データを読み取ることの代替形態として、試料収集器識別データは、例えば保存バイアルから保存バイアル識別を読み取ることと併せて、試料の採取後に読み取られることが可能である。後の読み取りには、動物の識別および試料の識別に時間的連係がさほど厳密ではないことによって、一致しない機会が増えることを許容するという欠点がある。
【００５８】
試料収集器識別データは、試料採取前に他の識別データと共に保存されることができ、例えば、その場合試料収集器は、割り当てられたバイアルまたは動物ＩＤタグの１つまたは複数と併せて供給される。その場合、保存されたデータは、予め確立されることでき、収集プロトコルは、ユーザが動物の識別またはバイアルの識別またはその両方を試料採取時に点検することを要求する可能性がある。この点検は、ユーザが点検するために識別データを表示することによって、または保存されたデータと試料採取時に識別タグから読み取られたデータとを比較することによって、促進されることが可能である。
【００５９】
データを記録および保存する特定の手段は、本発明の意図される範囲から逸脱せずに、変更されることが可能である。本発明は、特に、試料収集器上または試料収集器内にＥＩＤを提供することにあり、試料収集器が組織試料を切断し、保持して（少なくとも最初に）、その結果、試料収集器の識別と試料が切断された動物の識別とが、試料が採取される時点で、正確であると公知の電子記録の中に一致することが可能である。好適には、この電子記録は、試料収集器の切断部分を閉じ込めるバイアルまたは密封装置の識別を更に含む。
【００６０】
図１ａから図１ｇは、試料収集器２５０の好適な形態を示す。試料収集器は、本明細書で後に説明される組織試料採取器と共に使用可能であり、または別の適切な組織試料採取器と共に使用可能である。
【００６１】
試料収集器２５０は、パンチ２５１の切断端部２５２ａで切断器２５５を含む本体を有するパンチ２５１を備える。パンチ２５１は、対向する押圧端部２５２ｂを更に含む。パンチ２５１の本体は、好適にはスロットまたは穴２５３を含む。穴２５３は、パンチの一方の端部から他方の端部へ延在する。好適には、穴は、図２ａから図２ｅに示すように、パンチの長さに沿って切断縁部と押圧端部との間に延在する。好適には、パンチは、細長いまっすぐな本体を備え、穴はパンチの本体内部に中央に配置される。
【００６２】
一形態では、パンチの本体の外側面が、後に説明する貯蔵容器のキャップの内部にパンチを位置決めすることに役立つ１つまたは複数の突出部または凹部の形態の案内手段を備える。図２ａから図２ｄに示す実施形態では、案内手段は、パンチの押圧端部２５２ｂから突出している、３つの均等に離隔配置されたリブ２５４を備える。導入部２５４ａもまた、設けられることが可能である。
【００６３】
切断器２５５が、試料を有機体から切除するためにパンチの切断端部２５２ａに設けられる。切断器は、パンチに取り付けられることができ、または切断器およびパンチが単一の部品として形成されるように、パンチと一体化することが可能である。切断器２５５は、円柱形であることができる。別法として、切断器２５５は、試料を切除するために適する別の形状から成ることができる。例えば、試料は、動物の耳の先端から採取されることができ、その結果として切断器はＵ字形、またはＶ字形、または他の形状であることができる。切断器は、中心部試料を採取する必要はなく、その代わり端部試料を採取する。円柱形などの中空部分であることが、栓として試料を切断器によって保持することができるという追加の利点を提供する。切断器は、切断器内に着座することになる試料栓を取り外すことができる。
【００６４】
切断器２５５の自由端部が、切断縁部２５５ａを形成するように提供される。好適には、切断器２５５は、パンチ本体の切断端部でパンチの穴２５３の一方の端部から延在し、その端部を取り囲んで、１つまたは複数の突出する囲壁を形成する。好適には、パンチの穴２５３は円柱形であり、その結果、切断縁部は略円形である。試料保持部分２５６は、切断器によって、好適には、切断器の突出壁の内部に形成される。このようにして、切断器は、穴などの保持部分２５６を提供する。穴は、プランジャ２５７の端部によって終了するブラインド穴である。穴は、パンチの本体に形成される穴と位置合わせされる。分かり易くするために、本明細書の中で言及される場合は、パンチの穴２５３は、２つの穴が好適には連続しているので、パンチの本体内に形成される穴および切断器内に形成される穴を含むと解釈するべきである。
【００６５】
プランジャ２５７はパンチの穴２５３に保持され、試料収集器の部分を形成する。一形態では、プランジャは、パンチから少なくとも部分的に突出する。他の形態では、プランジャは、穴の内部に完全に含まれる。穴の内部にあることによって、少なくとも適切な工具が使用されない限り、プランジャを保護し、穴を通って勝手に開封することを防止することに役立つ。
【００６６】
好適には、プランジャは、本明細書で上記に説明する、図１ａおよび図１ｄに示すＲＦＩＤタグ２５９を組み込む。
【００６７】
プランジャは、第１の端部２５８ａおよび対向する第２の端部２５８ｂを含む。
【００６８】
プランジャ２５７は、パンチ２５１の穴２５３の中に延在することがわかる。プランジャは穴の中にぴったりと嵌合しているが、それでもやはり、プランジャはパンチに対して摺動することができる。好適な形態では、プランジャ外側面は、穴の内側面に接触している。これによって、その間に封止が生成されて、パンチの押圧端部から切断端部まで、穴を通って汚染物質が進入することを防止する。
【００６９】
プランジャおよびパンチは、穴とピンのような関係の使用、またはその他の関係の使用のいずれにせよ、互いに摺動関係にある。それらは摺動関係にあるので、その結果、試料を押して切断器から取り外すことができる。
【００７０】
好適な形態のプランジャは、パンチの穴の中に延在し、試料保持部分２５６から試料組織の栓を押すことができる。この押圧によって、試料採取後に試料収集器が連結されるようになる貯蔵容器の中に試料を押すことができる。その押圧は、試料採取時に行うことが可能であり、または試料採取のかなり後で、試料が処理されることになる実験室内などで行うことが可能である。実験室内で、試料は切断器から押し出され、分析のために、テストチューブの中、または使用される場合は貯蔵容器の中に入れられることが可能である。
【００７１】
プランジャは、図１ｂに示す稼働位置に配置可能であり、図１ｇに見られる押し込まれた位置へ移動されることができる。
【００７２】
プランジャが、試料収集器が組織試料を切除する用意ができている稼働位置にある場合、プランジャの第２の端部がパンチの押圧端部から突出することができ、プランジャの第１の端部が、試料保持部分とパンチの押圧端部との間でパンチの穴の内部に保持される。好適には、プランジャの第１の端部２５８ａで、またはその近傍で、プランジャは拡大され、または一方向にパンチからプランジャを取り外すことに対して干渉を生成する何らかの形態を提供する。同様の拡大部（図示せず）が、プランジャの他方の端部で、またはその近傍で設けられることが可能である。その拡大部、または各拡大部は、ＲＦＩＤタグを担持するプランジャを試料収集器から取り外すことを防止することに役立つ。
【００７３】
試料収集器は、切断器を用いて、動物または植物から組織の試料を切断するように適合されている。試料は、試料保持部分の内部など、一時的に切断器によって保持され得る。試料保持部分から試料を外すために、プランジャはその稼働位置から押されることができて、その結果、プランジャは試料の方向へと移動する。プランジャは、更にパンチの穴の中に、切断縁部に向かって、試料保持空洞を通って押されることができて、その結果、組織試料が切断器から押し出される。
【００７４】
好適な形態では、パンチが略管状であり、プランジャが略円柱形であるが、パンチおよびプランジャは任意の適切な補完的形状であることができると想定されたい。例えば、パンチの穴は、矩形の横断面を有することができ、プランジャもやはりわずかに小さい寸法の矩形の横断面を有することができて、その結果、プランジャはパンチの穴の内部で摺動することができる。切断器の切断縁部もやはり任意の適切な形状および寸法を有することができて、試料を受け取るための貯蔵容器内部に嵌合する組織試料を切断することができることを理解されたい。例えば、切断先端は、矩形、楕円形、星形または不規則な形状であることができる。
【００７５】
言及するように、試料収集器は、貯蔵容器と共に使用され得る。好適な形態では、試料収集器は、本明細書で後で説明するように組織試料採取器によって保持されるが、組織試料採取器は、試料採取時に貯蔵容器を更に保持する。
【００７６】
一形態では、図３ａから図３ｄに示すように、貯蔵容器５００は、開口した第１の端部５０１ａおよび容器本体の基部を形成する閉じた第２の端部５０１ｂを有する容器本体５１０を備えるが、容器本体は、基部が容器本体の底にあるように常に配向されるとは限らないことを理解するべきである。
【００７７】
任意選択で、容器本体の基部は平坦であり、図３ｄに示すように、バーコード、ＱＲコード（登録商標）、マトリックスコードまたは機械可読コードなどの固有の認証５０２が基部上に設けられている。別法として、または追加的に、固有の認証は容器本体の側面に沿って設けられる。固有の認証は、貯蔵容器５００の内部に最終的に配置される試料の供給源についての情報を提供するために使用される。その代わりに、または加えてＲＦＩＤタグが、貯蔵容器に取り付けられ得る。
【００７８】
一形態では、容器本体５１０は、組織試料を受け取るためにその基部に組織試料チャンバ５０３を備える。防腐剤５０５を組織チャンバの中に設けることができる。
【００７９】
好適には、図３ａから図３ｄに示すように、容器本体の外側面は、容器基部に、または容器基部近傍に配置される回り止め手段５０４を備える。本明細書の中で後に説明するように、回り止め手段は、容器本体が保持ラックのセルの内部で回転することを防止するように適合された１つまたは複数の凹部および／または突出部を備える。
【００８０】
任意選択で、貯蔵容器は、容器本体を封止するために容器本体の開口した第１の端部に取り付けられるキャップを備える。別法として、キャップは、その中に形成される穴／通路を有することができ、組織試料がその穴／通路を通って容器本体の中に配置され得る。この形態では、キャップが、容器本体に取り付けられるが、しかし完全に容器本体を封止するのではない。貯蔵容器は、試料を動物から切り離す際に、パンチが協働するための打ち抜き型を好適にはキャップに備える。打ち抜き型は、穴／通路を含む。これによって、打ち抜き型／パンチの組合せによって組織を切除するようなせん断作用を可能にする。
【００８１】
好適には、容器本体が、キャップのネジ付領域と噛み合う、第１の端部に、または第１の端部近傍にネジ付領域を備えて、キャップが貯蔵容器にネジで取り付けられ、またはネジで取り外されることを可能にする。別法として、キャップは、滑り嵌めを用いて容器の開口端に取り付けられる。やはり別の形態では、キャップが、容器本体の開口端近傍で容器本体の外側面を取り囲むチャンネル内部で入れ子になる内側面上にリップを備える。理解されるように、キャップは任意の他の適切な配置で容器本体に取り付けることができ、これらは使用され得るいくつかの例であるに過ぎない。キャップの取り外しを補助するので、ネジ式関係が好適である。
【００８２】
一形態では、貯蔵容器５００は、上記に説明するように、容器本体５１０のネジ付領域５０６にネジで取り付けられるキャップ５５０を備える。特に、キャップが、貯蔵容器５００のネジ付内側領域５０６に係合するように適合されているネジ付シャフト５５１を備え、その結果、シャフトの第１の端部が、容器の基部５０１ｂに向かって突出する。別法として、シャフトは、容器本体のネジ付外側領域と係合するように適合されているネジ付穴を有することができ、その結果、シャフトの第１の端部は、容器本体の端部に向かって突出する。カラー５５２が、ネジ付シャフトの対向する第２の端部から延在する。カラー５５２は、外側に突出する環状フランジ５５３、およびシャフト５５１から離れる方向にフランジ５５３の周囲から延在して略円柱形壁を形成する案内壁５５４を備える。好適には、案内壁の外側面は、へりにぎざぎざのあるキャップを提供するように成形され、または質感を持たせている。
【００８３】
中央に配置された凹部５５５は、カラー５５２の内部に、案内壁の間に設けられる。凹部は、キャップを容器本体から取り外すための、対応する形状のキャップ取り外し工具と係合するために特別に成形され得る。例えば、凹部５５５は、凹部の中に挿入し、キャップを回転してキャップを容器本体からネジを取って外すための工具の形状に相当する十字形、星形、六角形、矩形、楕円形または任意の他の規則的または不規則的形状を有する凹部を提供する工具係合縁部５５９を有することができる。しかし、案内壁の外側面は工具の形状に相当するように成形され、または外側壁を把持し、キャップを回転して貯蔵容器からキャップを取り除くために、把持領域を少なくとも提供するように成形されることが好適である。
【００８４】
凹部５５５は、キャップを通って中央に配置されている通路５５６と位置合わせする。キャップは、易破壊性シール５５７を更に備え、そのシールは、薄膜などの形態であることができ、キャップを横切って横方向に延在する。シールは、キャップのカラーおよびシャフトと一体に形成可能であり、その結果、キャップ全体が１つの部品として作製される。好適には、シールは、シャフトの第１の端部に、または第１の端部近傍に配置されるが、他の形態では、シールは、キャップのカラー内部に、または任意の他の適切な位置に配置され得る。シール５５７は、ポリプロピレン、ゴム、ポリエチレンなどの任意の適切な材料から成ることができる。シャフトの第１の端部が本体の中に突出するように、キャップ５５０が容器本体５１０の本体に取り付けられる場合、シール５５７は、本体を横切って延在して、容器本体の第１の端部５０１ａを封止する。好適には、キャップ５５０は、ネジ付シャフト５５１の外側上方に嵌合し、キャップのカラー５５２に当接するＯリングなどの第２のシール５５８を更に備える。この形態では、キャップが貯蔵容器の容器本体に取り付けられる場合、第２のシールが、容器本体の第１の端部５０１ａとキャップ５５０のカラー５５２との間に配置されて、キャップと容器本体との間の結合部を封止する。この配置では、キャップは殺菌した容器本体にネジで取り付けられて、容器本体の中の封じ込め領域を密封することができる。容器本体内側は、シールが破られ、組織試料が容器本体の中に配置されるまで殺菌状態を保つことができる。
【００８５】
好適な形態では、キャップおよび容器本体は、開封明示様式で互いに対して係合される。これによって、キャップが容器本体から取り外されたことを検出することができる。好適には、開封明示様式は、何らかの開封の視覚的証拠を提供する。例えば、結合タブが、カラーと、容器本体に確実に取り付けられているキャップの取付けリングとの間に設けられることが可能である。この形態では、キャップが取付けリングから離れるように捩じられる（ネジを取り外すことによってキャップを容器本体から外すなど）場合、結合タブが破れて、貯蔵容器が開封されたことを明示する。容器本体とキャップの接触面上の収縮包装のフィルムが、開封明示表示として使用され得る。キャップと容器本体が分離される時、引き裂くステッカーが使用され得る。壊れ易いリングなどもまた、使用可能である。
【００８６】
使用される場合、貯蔵容器および試料収集器は、図４に示すように試料採取時に位置合わせされる。試料採取の前には、貯蔵容器および試料収集器は分離されており、その結果、切除されるべき試料の有機体の部分がそれらの間に配置され得る。
【００８７】
次に説明するように、試料収集器、および使用される場合に貯蔵容器は、試料採取器によって試料採取目的のためにそのように保持され得る。試料採取器は、本明細書で相互参照によって組み込まれている、同時出願の国際出願／ニュージーランド特許出願第２０１４／０００１０６号明細書の中に記載されている。空気式または電気式に作動される試料採取器またはその他の試料採取器も、やはり本発明と共に使用するように適合可能である。
【００８８】
貯蔵容器は、図５および図６に示すように、組織試料採取器１の貯蔵容器ホルダ３００の内部に嵌合し、図４に示すように、貯蔵容器の第１の端部を通って試料収集器を受け取るような寸法を有している。
【００８９】
組織試料が採取される場合、図５に示すように、貯蔵容器５００は、その第１の端部５０１が切断領域４００の方へ面するように容器ホルダ３００の中に配置される。
【００９０】
複数の試料収集器２５０が、組織試料採取器の中に装填されたマガジン筐体２００の内部に配置され得る。マガジンは、試料採取のために各試料収集器を順次提供することができる。これは、試料採取器１のラム１３０などのアクチュエータに試料収集器を個々に位置合わせすることによって達成される。
【００９１】
図１１に示すように、マガジン筐体２００は、複数のチャンバ２４１を備えるマガジン２４０を受けるような寸法を有しており、各チャンバは、その中に試料収集器２５０を保持するように適合され、開口した第１の端部２４１ａおよび第２の対向する端部２４１ｂを備える。マガジン（特に図４参照）は、好適には、マガジンを通って、またはその中に延在する、中央に配置された車軸または穴２４２を含む円柱形の形態である。チャンバが、穴の周りに同心に配置され、好適にはマガジンの円周近傍に配置される。好適には、マガジン２４０の中のチャンバの少なくとも部分が、透明の材料からできており、その結果、任意のチャンバの中の試料収集器の存在が確認され得る。図１１に示す実施形態では、マガジンが、２５個のチャンバを備えるが、マガジンは任意の適切な数のチャンバを有することができる。マガジンは、ＲＦＩＤまたはバーコードまたは他の機械により読み取ることが可能なコードを担持することができる。好適な形態では、マガジンは回転して駆動する試料収集器を割り出すことができる。他の形態では、その代わりにマガジンは並進することができる。
【００９２】
図６に示すように、試料収集器の第２の端部はラム１３０と位置合わせし、切断器２５５の切断縁部２５５ａは試料採取器の切断領域の穴２１１と位置合わせする。
【００９３】
組織試料採取器の貯蔵容器ホルダ３００は、貯蔵容器５００をその中に保持するように適合されている。
【００９４】
図５に示すように、切断領域４００は、試料標本からの組織４５０が中に配置され得る空間を備える。図６では、動物の耳４５０が、切断領域の内部に配置されて概略的に図示される。組織試料が耳から切断される時、耳または他の試験体が切断領域の中に保たれる。
【００９５】
ラム１３０は、試料採取器のラム筐体１２０内部に配置される。ラムは駆動手段の部分を形成し、駆動手段は、ラム１３０に作動可能に結合されているトリガ１５０を更に備える。案内凹部１３２が、ラムの第１の端部の中に形成され、パンチから突出するプランジャの第２の端部２５８ｂに対応するように成形される。案内凹部１３２は、プランジャの突出部分が凹部の内部に嵌合することができ、ラムの第１の端部１２１ａがパンチの押圧端部２５２ｂに当接することができるような寸法を有する。
【００９６】
これによって、ラムが、試料採取中にプランジャを駆動することを防止し、パンチ上を押圧することによって、試料標本を通って試料収集器だけを駆動する。
【００９７】
ラム１３０は、トリガ１５０が係合され、脱係合されるにつれて、ラム筐体１２０の内部で前後に摺動するように適合されている。
【００９８】
組織試料を切断するために、ユーザは本明細書で説明する試料採取器を使用することができる。ユーザは貯蔵容器５００をホルダ３００の中に挿入して、貯蔵容器の部分が試料採取器受け取り穴３２１の中に押し込まれて、その結果、図６に示すように、貯蔵容器の第１の端部が試料受け取り穴３２１から切断領域の中にわずかに突出する。マガジン２４０は、試料収集器２５０のパンチ２５１の切断縁部が、切断領域の穴２１１と位置合わされ、プランジャ２５７の第２の端部がラム受け取り穴２２１と位置合わせされるように、配向される。マガジンは、貯蔵容器が組織試料採取器の中に配置される前または後に、組織試料採取器の中に配置され得ることは、理解されるであろう。
【００９９】
次いで、ユーザは、組織試料採取器のハンドルを保持し、図６に示すように、試料採取される組織４５０（動物の耳など）が切断領域４００の中に配置されるように試料採取器を配置する。ユーザはトリガ１５０を把持部材１６０に向かって押し込み、トリガを脱係合位置から係合位置に移動させる。
【０１００】
ラムが、ラム受け取り穴を通って移動し、試料収集器に対して押圧する。ラムは、押し続けて、試料収集器をマガジンのチャンバの外へ、切断領域の穴を通って切断領域の中に、貯蔵容器に向かって押す。
【０１０１】
ラムが切断領域を通って試料収集器を押圧すると、パンチの切断端部が、貯蔵キャップの第１の端部および切断領域の第１の壁に対して動物の耳（または他の組織）を押圧する。次いで、パンチの切断縁部は、耳または他の組織を貫通して押されて、組織から試料の栓を切断する。
【０１０２】
組織試料は、試料収集器の試料保持領域の内部に保持され、試料収集器は、貯蔵容器の第１の端部の中に押し込まれて、試料を容器内に配置する。
【０１０３】
図示するように、貯蔵容器５００の第１の端部が、前述のようにシール５５７を含むキャップ５５０を備え、試料収集器２５０は、キャップ内に形成される凹部５５５の中に押し込まれる。任意選択で、凹部の壁は、パンチの案内リブ２５４と係合するための１つまたは複数のリブを備えて、パンチの本体をキャップの内部に案内する。試料収集器がキャップの中に押し込まれると、パンチの切断縁部２５５ａがシールまたは薄膜５５７に対して押し、次いでシールまたは薄膜５５７を貫通して、容器本体への開口を形成する。次いで、パンチ（プランジャを内部に保持する）の切断端部は、開口を通って押圧され、その結果、試料保持領域２５６および空洞２５６内部に保持される試料４６０が、貯蔵容器５００の容器本体の内部に配置される。試料収集器が、破れたシールによって形成された開口を埋めて、容器本体の第１の端部を塞ぐ。特に、パンチの直径は、キャップ内に形成される開口内にぴったりと嵌合する寸法を有しており、その結果、キャップは試料収集器をその中に保持することができる。好適には、プランジャの第２の端部がパンチの押圧端部から突出し、プランジャの第１の端部が、試料保持空洞とパンチの押圧端部との間のパンチの穴の内部に配置される。この配置では、プランジャが押し下げられ、試料保持領域を通って押されて、組織試料を貯蔵容器の中に外すことができる。このことは、試料採取時または試料採取後に、手動または工具によって行うことができる。
【０１０４】
試料収集器が貯蔵容器の第１の端部を塞ぐ時、パンチおよびプランジャが、貯蔵容器のキャップによって保持され、その結果、切断器が容器本体の内部に保持される。したがって、ユーザが鋭利な切断縁部を含むパンチを取り扱う必要がなく、あるいは、パンチを組織試料採取器から取り外し、処分する必要がない。
【０１０５】
試料採取器１のトリガ機構により、組織試料を切断し、試料を貯蔵容器の中に配置し、および動物の耳を外すという動作がほとんど即座に起こり、その結果、動物がその耳を切断されることに反応し、身を引き離す場合、耳が外される前に、動物がユーザの手から組織試料採取器を引き離す機会はほとんどなくなるようにする。
【０１０６】
次いで、試料収集器を保持するキャップを含む貯蔵容器が、容器ホルダから取り外されることが可能であり、次いで未使用の交換貯蔵容器がホルダの中に嵌合され得る。試料収集器マガジンは、未使用の試料収集器を含む次のチャンバが、ラム受け取り穴および切断領域の穴と位置合わせされ、別の組織試料が採取される用意ができるまで、漸増的に回転される。
【０１０７】
一旦マガジン内のすべての試料収集器が使用されてしまうと、マガジンは試料採取器１から取り外されることが可能である。
【０１０８】
好適には、組織試料採取器から取り外された貯蔵容器は、キャップを取り除き、更に試料を分析するために実験室へ送られる前に、図１２に示す９６個の保護管ラックなど、複数セルのラック６００の各セル６１０の内部に配置される。
【０１０９】
試料収集器は、プランジャが押されて、組織試料を試料保持領域から、容器本体の底部で組織チャンバの中に外すことができるように適合されている。特に、プランジャの第２の端部が、パンチの押圧端部に向かって押し下げられることができて、プランジャの第１の端部が組織試料を試料保持領域の外へ、容器本体の中に押す。組織試料を外すことを助けるために、プランジャの第１の端部が拡大されることができ、Ｔｅｆｌｏｎ（商標）など、非粘着性材料から形成される耐粘着性表面を備えることができる。貯蔵容器が組織試料採取器から取り外された後、プランジャは、押し下げられ、試料保持領域に向かって押されることができる。
【０１１０】
好適には、貯蔵容器が組織試料採取器から取り外される時、組織試料は試料保持領域に保持される。次いで、貯蔵容器は、図１２に示すように、各貯蔵容器の基部が各セルの底にあり、貯蔵容器のキャップがセルの上方に突出するように、複数セルのラックの各セルの内部に配置され得る。セルの直径または幅は、貯蔵容器の直径または幅と対応するような寸法を有する。
【０１１１】
プランジャを連続的に押し下げることによって、またはｎ個のラックすべてのプランジャを同時に押し下げることのいずれかによって、プランジャを貯蔵容器のキャップの内部に自動的に押し下げるために、機械が使用され得る。各プランジャが押し下げられ、パンチの穴の中に、またはパンチの穴を通ってより深く、および試料保持領域を通って、貯蔵容器の基部に向かってより深く押し下げられると、図１３に示すように、試料が試料保持領域から押し出され、貯蔵容器の底部のチャンバの中に配置される。実験室内でそのように使用される工具は、試料に接触しない。
【０１１２】
各貯蔵容器の容器本体の外側面が、回り止め手段を備える場合、貯蔵容器は、回り止め手段が、セル内部に設けられる対応する回り止め手段と係合するようにホルダの各セルの内部に配置される。例えば、容器本体上に形成される１つまたは複数の突出部が、各セルの壁の中に形成される１つまたは複数の凹部と係合することになる。貯蔵容器およびセルの回り止め手段は、貯蔵容器がセルの内部で回転することを防止し、その結果、貯蔵容器は、キャップを本体からネジで取り外すことによって、自動的にキャップを取り除くことができる。
【０１１３】
貯蔵容器からキャップを取り外すために、キャップ係合工具（図示せず）が、キャップの対応する形状の凹部と係合し、またはキャップの案内壁の外側面を掴み、キャップを容器本体からネジで取り外すために適切な方向に回転される。通常は、機械が設けられ、ラックの貯蔵容器から同時にキャップを取り外すために、複数のキャップ係合工具がラック内の複数の貯蔵容器のキャップに係合する。キャップを取り外すことによって、貯蔵容器内の試料にアクセスし、分析のために容器本体から試料を取り除くことが可能になる。
【０１１４】
任意選択で、ラック内部の各セルは、ラック内部に保持される各貯蔵容器の基部上に配置される固有の認証を読み取るために、開口した、または透明な底部を備えて、その結果、各試料の供給源を識別し、試料から得られたデータと関連させることができる。
【０１１５】
試料の実験室内試験は、使用される貯蔵容器自体の中で行うことができるが、別法として、試料は試験前に貯蔵容器から取り外される。
【０１１６】
本発明の変形形態は、試料採取時に、貯蔵容器を含まない可能性がある。その代わり、試料を通って切断器を駆動することによって、試料収集器によって試料が採取され、次いで試料を担持した試料収集器を試験のために実験室まで運ぶ。試料を含有した試料収集器は、試料採取後、貯蔵するためにマガジンの中へ戻って引っ込められることが可能である。このことは、例えば図１６および図１７を参照して図示される。ラムと試料収集器との間に先が細い、または楔型または捕捉のような関係が確立されて、引っ込めることができる。試料を保持した試料収集器をマガジン内に停止させるために、止め具を採用することができ、次いでラムを分離させること可能になる。
【０１１７】
試料収集器は、貯蔵容器なしに試験のために運搬されることができ、マガジンによって収容されることができ、実験室の中で、試料は、マガジンに保持された状態に留まる間に、各プランジャを押し下げることによって直接分配されることが可能である。
【０１１８】
貯蔵容器がまったく使用されない場合、プランジャは、その後の試験のためにパンチから試料を取り出すことができる。
【０１１９】
試料収集器に配置されたＲＦＩＤタグは、追跡および開封防止目的のために有益である。ＲＦＩＤは、試料が採取される時点で使用されることができ、ＲＦＩＤは試料収集器ＩＤに対して試料を識別する。
【０１２０】
試料採取前、採取中または採取後すぐに、試料収集器ＲＦＩＤタグは、貯蔵容器ＩＤから由来する、および／または試験される動物によって担持される耳のタグからなど、動物に関連するＩＤから由来する固有のＩＤと共に読み取られ、記憶されることができる。これによって、少なくとも２つおよび好適には３つの個々の識別子（例えば、数字）が、採取された試料に固着される。１つは試料収集器ＲＦＩＤタグから由来し、１つは前記動物に関連するＩＤから由来し、および好適には前記貯蔵容器から由来する識別子である。これらの関連する番号は、データベースの中に試料採取時に記憶される。その目的は、それを開封防止にすること、および試料を取り替える選択肢を制限することである。貯蔵容器のＩＤ（使用される場合、およびＩＤを担持する場合）、および試料収集器のＩＤは、実験室処理中に読み取られ、再びデータベースに照合されることが可能である。試料採取で、貯蔵容器、試料収集器および耳のタグから情報を読み取り、移送する方法は、リーダおよび可能である場合は試料採取器内部の対象とするリーダの既存の技術であろう。ＲＦＩＤ装置から実験室で収集されるデータは、試料試験から由来する情報が関連することができる固有の識別子となるであろう。
【０１２１】
試料を保持した試料収集器のマガジンは、試料採取器から取り外された後、キャップをかぶせられ、実験室へ送られることができる。実験室は、マガジンから実験室チューブの中へ直接試料を処理することができる（試料がプランジャによってパンチから押し出される後）。試料収集器のＲＦＩＤタグが、試料が内部に置かれている実験室チューブのための実験室システム番号に関して、一致され、移送されまたは記録されることが可能である。このことは、より大きい処理チューブが必要である場合に、融通性を与えることができる。試料は、実験室処理番号を含む、任意の必要なタイプおよび寸法の実験室チューブの中へ取り出されることができ（プランジャによって）、それを動物および最初の試料収集器のためのデータベース番号に一致させることができる。
【図１ａ】
0006672144.tif 000002
【図１ｂ】
0006672144.tif 000003
【図１ｃ】
0006672144.tif 000004
【図１ｄ】
0006672144.tif 000005
【図１ｅ】
0006672144.tif 000006
【図１ｆ】
0006672144.tif 000007
【図１ｇ】
0006672144.tif 000008
【図２ａ】
0006672144.tif 000009
【図２ｂ】
0006672144.tif 000010
【図２ｃ】
0006672144.tif 000011
【図２ｄ】
0006672144.tif 000012
【図２ｅ】
0006672144.tif 000013
【図３ａ】
0006672144.tif 000014
【図３ｂ】
0006672144.tif 000015
【図３ｃ】
0006672144.tif 000016
【図３ｄ】
0006672144.tif 000017
【図３ｅ】
0006672144.tif 000018
【図３ｆ】
0006672144.tif 000019
【図３ｇ】
0006672144.tif 000020
【図３ｈ】
0006672144.tif 000021
【図４】
0006672144.tif 000022
【図５】
0006672144.tif 000023
【図５ａ】
0006672144.tif 000024
【図６】
0006672144.tif 000025
【図６ａ】
0006672144.tif 000026
【図６ｂ】
0006672144.tif 000027
【図６ｃ】
0006672144.tif 000028
【図６ｄ】
0006672144.tif 000029
【図６ｅ】
0006672144.tif 000030
【図７】
0006672144.tif 000031
【図７ａ】
0006672144.tif 000032
【図８】
0006672144.tif 000033
【図９】
0006672144.tif 000034
【図１０】
0006672144.tif 000035
【図１１】
0006672144.tif 000036
【図１２】
0006672144.tif 000037
【図１３】
0006672144.tif 000038
【図１４】
0006672144.tif 000039
【図１５ａ】
0006672144.tif 000040
【図１５ｂ】
0006672144.tif 000041
【図１６】
0006672144.tif 000042
【図１７】
0006672144.tif 000043
【図１８】
0006672144.tif 000044
【図１９】
0006672144.tif 000045